(57)【要約】【課題】省エネルギー化を図りつつ、照明空間の明るさ感を確保できる照明制御システムおよび照明制御方法を提供する。【解決手段】照明制御システム11は、複数の照明器具13と、センサ機器14と、照度センサ27と、照明制御部15とを備える。照明器具13は、照明空間12に設置される。センサ機器14は、照明空間12の人の存否を検出する。照度センサ27は、照明器具13による照明空間12内の所定位置での間接照度を検出する。照明制御部15は、センサ機器14により人の存在を検出した位置で照度センサ27により検出した間接照度が所定値を下回らないように照明器具13を点灯制御する。【選択図】図１
2014035815.tif 000002
【特許請求の範囲】
【請求項１】
照明空間に設置される複数の照明器具と；
照明空間の人の存否を検出する存否検出手段と；
照明器具による照明空間内の所定位置での間接照度を検出する照度検出手段と；
存否検出手段により人の存在を検出した位置で照度検出手段により検出した間接照度が所定値を下回らないように照明器具を点灯制御する制御手段と；
を具備していることを特徴とする照明制御システム。
【請求項２】
照度検出手段は、予め設定された照明空間の大きさ、この照明空間の内装面の反射率、照明器具の配光データ、照明器具の台数、および、制御手段により点灯する照明器具の位置に基づいて予め算出されたデータから、存否検出手段により人の存在が検出された位置に最も近い位置のデータを参照することで間接照度を検出する
ことを特徴とする請求項１記載の照明制御システム。
【請求項３】
照度検出手段は、予め設定された照明空間の大きさ、この照明空間の内装面の反射率、照明器具の配光データ、照明器具の台数、および、制御手段により点灯する照明器具の位置に基づいて、存否検出手段により人の存在が検出された位置に対して計算することで間接照度を検出する
ことを特徴とする請求項１記載の照明制御システム。
【請求項４】
照度検出手段は、照明空間の輝度分布を取得するとともに、この取得した輝度分布から照明器具を除き、この照明器具を除いた領域の輝度値が輝度分布の取得位置の鉛直面に作る照度を求めることで、間接照度を実測する
ことを特徴とする請求項１記載の照明制御システム。
【請求項５】
複数の照明器具が設置された照明空間の人の存否を検出し、
人の存在を検出した位置で照明器具による照明空間内の所定位置での間接照度を検出し、この間接照度が所定値を下回らないように照明器具を点灯制御する
ことを特徴とする照明制御方法。
【請求項６】
予め設定された照明空間の大きさ、この照明空間の内装面の反射率、照明器具の配光データ、照明器具の台数、および、制御手段により点灯する照明器具の位置に基づいて予め算出されたデータから、人の存在を検出した位置に最も近い位置のデータを参照することで間接照度を検出する
ことを特徴とする請求項５記載の照明制御方法。
【請求項７】
照度検出手段は、予め設定された照明空間の大きさ、この照明空間の内装面の反射率、照明器具の配光データ、照明器具の台数、および、制御手段により点灯する照明器具の位置に基づいて、人の存在を検出した位置に対して計算することで間接照度を検出する
ことを特徴とする請求項５記載の照明制御方法。
【請求項８】
照明空間の輝度分布を取得するとともに、この取得した輝度分布から照明器具を除き、この照明器具を除いた領域の輝度値が輝度分布の取得位置の鉛直面に作る照度を求めることで、間接照度を実測する
ことを特徴とする請求項５記載の照明制御方法。
【発明の詳細な説明】
【技術分野】
【０００１】
本発明の実施形態は、照明空間に設置される複数の照明器具を備えた照明制御システムおよび照明制御方法に関する。
【背景技術】
【０００２】
従来、例えば、オフィスや店舗等の施設では、その施設の照明空間に設置された複数の照明器具を制御する照明制御システムが用いられている。この照明制御システムでは、各照明器具に通信機能を搭載しており、それぞれの点灯状態を個別に制御可能となっている。このため、この照明制御システムでは、システムの親機となるエリアコントローラ、照度センサ、人感センサ等を用いて、自由なレイアウトで点灯エリアや調光エリアを設定できる。
【先行技術文献】
【特許文献】
【０００３】
【特許文献１】特開２０１１−１６５５７７号公報
【発明の概要】
【発明が解決しようとする課題】
【０００４】
しかしながら、上述の照明制御システムでは、主として水平面の照度を検出し、この水平面の照度が所定値となるように制御するため、人の手元の明るさは充分であっても、照明空間全体の明るさの印象としては陰鬱に感じる場合がある。
【０００５】
本発明が解決しようとする課題は、省エネルギー化を図りつつ、照明空間の明るさ感を確保できる照明制御システムおよび照明制御方法を提供することである。
【課題を解決するための手段】
【０００６】
実施形態の照明制御システムは、複数の照明器具と、存否検出手段と、照度検出手段と、制御手段とを備える。照明器具は、照明空間に設置される。存否検出手段は、照明空間の人の存否を検出する。照度検出手段は、照明器具による照明空間内の所定位置での間接照度を検出する。制御手段は、存否検出手段により人の存在を検出した位置で照度検出手段により検出した間接照度が所定値を下回らないように照明器具を点灯制御する。
【発明の効果】
【０００７】
本発明によれば、人の存否に応じて、人の存在を検出した位置での間接照度が所定値を下回らないように照明器具を点灯制御することで、照明器具を一括に点灯あるいは消灯する場合よりも省エネルギー化を図りつつ、照明空間の明るさ感を確保できる。
【図面の簡単な説明】
【０００８】
【図１】第１の実施形態の照明制御システムの一部を模式的に示す説明図である。
【図２】同上照明制御システムを模式的に示す説明図である。
【図３】同上照明制御システムにより照明する照明空間を天井側から模式的に示す説明図である。
【図４】第２の実施形態の照明制御システムの一部を模式的に示す説明図である。
【図５】第３の実施形態の照明制御システムの一部を模式的に示す説明図である。
【発明を実施するための形態】
【０００９】
以下、第１の実施形態の構成を図１ないし図３を参照して説明する。
【００１０】
図１ないし図３に示すように、照明制御システム11は、例えばオフィスや店舗等の施設の屋内の照明空間12の天井等に全域に並んで設置された複数の照明器具13の点灯状態を一元制御するもので、照明空間12の複数の照明器具13毎に存否検出手段としての人感センサであるセンサ機器14が設置されている。また、照明制御システム11は、各照明器具13を点灯制御する制御手段としての照明制御部15と、この照明制御部15からの制御信号を各照明器具13に供給する通信部(通信ユニット)16とを備え、これら照明制御部15と複数の通信部16とセンサ機器14とが信号線17を介して互いに通信可能に接続されている。そして、各照明器具13、センサ機器14、照明制御部15および通信部16は、図示しない分電盤等の電源部から電源線18を介して給電されている。
【００１１】
なお、照明空間12の形状や照明器具13の配置等については、任意に設定できるが、本実施形態では、説明をより明確にするために、照明空間12を、例えば壁部Ｗに周囲が囲まれた平面視四角形状とし、その天井に照明器具13が照明空間12の平面視での所定方向である長手方向(図３中の上下方向)およびこの長手方向と交差する交差方向である幅方向(図３中の左右方向)に沿ってマトリクス状に配置されているとともに、複数の四角形状の照明エリア21が区画されているものとする。そして、この照明エリア21としては、一つの壁部Ｗに沿う細長い四角形状のものが通路スペース22を構成しているとともに、この通路スペース22に対してパーティション23により区画された残りの他の複数が、机24およびパーソナルコンピュータ(ＰＣ)25等を備えたワークスペース(執務スペース)26を構成しているものとする。
【００１２】
照明器具13は、器具本体、この器具本体に配置される蛍光ランプや電球あるいはＬＥＤ等の調光可能な光源、この光源を点灯、消灯および調光させる点灯装置、通信部16を通じて照明制御部15と通信する通信手段、およびこの通信手段を通じて受信する制御信号に応じて点灯装置を制御して光源の点灯状態を制御する照明制御手段等を備えている。そして、各照明器具13の照明制御手段は、それぞれ固有のアドレスを有し、照明制御部15から送信されてくる自己のアドレスの制御信号を特定して受信したり、照明制御部15で特定できるように自己のアドレスとともに点灯制御状態を照明制御部15に送信したりする機能を有している。なお、これら照明器具13は、全て同一の配光特性を有するものを配置してもよいし、所定の位置、例えば壁部Ｗの近傍とその他の位置とで配光特性や照明する方向が異なるものとする等、任意の配光特性のものを選択して設置できる。
【００１３】
また、センサ機器14は、各照明エリア21等の照明空間12内の人Ｐの存否(人Ｐの存在の有無)を検出する画像センサ(画像認識センサ)等である。なお、このセンサ機器14は、照明空間12の照明エリア21の広さ(大きさ)やその形状および配置等に応じて設置する個数や位置を適宜設定できる。そして、センサ機器14を複数配置する場合には、それぞれ固有のアドレスを設定し、このアドレスを用いて信号線17を介して照明制御部15と通信するように構成する。
【００１４】
また、人Ｐの目の位置における間接照度、すなわち間接眼前照度は、照明空間12の明るさ感と相関が強いことから、この間接眼前照度を照明空間12の明るさ感を定量的に示す指標として用いることができる。そのため、例えば机24上に配置した照度検出手段としての照度センサ27を用いて、その机24に在席する人Ｐの目の位置における間接照度を検出し、これを明るさ感指標とする。
【００１５】
ここで、照度センサ27は、カメラ等の撮影部28と、この撮影部28の土台となる演算部29とを備えている。撮影部28は、例えばパーソナルコンピュータ25の背面の位置に、机24の上面から、在席した人Ｐの目の高さ位置近傍まで上方に突出しており、かつ、在席した人Ｐの向きと同方向の所定の視野角、例えば１８０°の視野角の輝度分布を画像として取得可能となっている。また、演算部29は、撮影部28により取得した輝度分布に基づいて人Ｐの目の位置における間接照度(間接眼前照度)を検出し、照明制御部15へと、有線、または無線により伝達可能となっている。
【００１６】
具体的に、本実施形態において、演算部29は、人Ｐの目の位置における間接照度(間接眼前照度)を実測によって検出する。この場合、演算部29は、撮影部28によって取得した照明空間12の輝度分布から照明器具13(照明器具13による直接輝度値)を除き、この照明器具13を除いた領域の輝度値が輝度分布の取得位置、すなわち撮影部28での撮影位置における鉛直面に作る照度を求めることで、間接眼前照度を実測する。
【００１７】
なお、照度センサ27は、机24毎に配置してもよいし、複数の机24毎、あるいは照明エリア21毎等に配置してもよい。この場合には、センサ機器14により在席した人Ｐの最も近くに位置する照度センサ27を用いることによって、机24に在席する人Ｐの目の位置における間接照度(間接眼前照度)を検出できる。そして、照度センサ14を複数配置する場合には、それぞれ固有のアドレスを設定し、このアドレスを用いて照明制御部15と通信するように構成する。
【００１８】
また、照明制御部15は、互いに信号線30を介して接続されており、例えばいずれか一つがこの照明空間12における親機、すなわちエリアコントローラとなり、残りの他が子機、すなわちサブコントローラとなっている。そして、これら照明制御部15は、それぞれ固有のアドレスを有し、このアドレスを用いて互いに通信するように構成されている。
【００１９】
さらに、照明制御部15には、センサ機器14からの人Ｐの位置情報を含む人感検出情報、および、照度センサ27からの間接眼前照度の検出情報を入力し、人Ｐの存在が検出された場合には、その人Ｐの存在を検出した位置を含む照明エリア21に対応する照明器具13を、明るさ感指標値(間接眼前照度)が予め設定された所定値を下回らないように点灯制御する機能を有している。
【００２０】
具体的に、照明空間12の照明エリア21の明るさ感指標値である人Ｐの目の位置での間接照度を高める方法としては、例えば壁部Ｗの近傍の照明器具13を点灯させて壁部Ｗ(壁面)を明るくしたり、照明器具13に配置された天井面を照射する光源によって天井面を照射したり、照明器具13の照射範囲を可変としてその照射範囲をより広くしたりする等の各種照明点灯パターンを用いることが可能である。そして、照明制御部15による照明器具13の点灯制御は、例えば予め設定した複数の照明点灯パターンのうち、人Ｐの位置(壁部Ｗとの距離)や照明空間12の照明器具13の配置に応じて、例えばセンサ機器14によって人Ｐの位置情報を取得することで、最も効果的な照明点灯パターンを自動的に選択するようになっている。
【００２１】
次に、上記第１の実施形態の照明制御方法を説明する。
【００２２】
まず、照明空間12において、人Ｐが存在するかどうか(人Ｐが在席しているかどうか)をセンサ機器14により検出する。
【００２３】
このセンサ機器14により人Ｐが在席していることを検出したときには、その検出した人Ｐが存在する照明エリア21において、照度センサ27が人Ｐの目の位置での間接照度(間接眼前照度)を検出する。このとき、照度センサ27は、例えば人Ｐが存在することを検出したセンサ機器14のアドレスを(照明制御部15を介して)参照することで、この検出した人Ｐの位置に最も近い位置のものを用いるものとする。
【００２４】
そして、照明制御部15は、照度センサ27により検出した間接照度(間接眼前照度)が所定値を下回らないように照明器具13を点灯制御する。具体的に、例えばワークスペース26をなすいずれかの照明エリア21に人Ｐが存在することをセンサ機器14により検出した際には、照度センサ27により検出する間接照度(間接眼前照度)が所定値、例えば６０〔ｌｘ〕を下回らないように(６０〔ｌｘ〕以上となるように)、照明制御部15が照明器具13を点灯制御する。また、通路スペース22をなす照明エリア21に人Ｐが存在することをセンサ機器14により検出した際には、照度センサ27により検出する間接照度(間接眼前照度)がワークスペース26をなす照明エリア21での所定値よりも小さい所定値、例えば３０〔ｌｘ〕を下回らないように(３０〔ｌｘ〕以上となるように)、照明制御部15が照明器具13を点灯制御する。
【００２５】
なお、これら照明制御部15による照明器具13の点灯制御は、人Ｐが存在している(在席している)照明エリア21の間接照度(間接眼前照度)が所定値を下回らないようにするものであるから、人Ｐが存在している(在席している)照明エリア21に位置する照明器具13の点灯制御だけでなく、その他の照明エリア21に位置する照明器具13も適宜点灯制御することが好ましい。
【００２６】
また、複数の照明エリア21において人Ｐが存在することをセンサ機器14が検出したときには、それぞれの照明エリア21の間接照度(間接眼前照度)が所定値を下回らないように、照明制御部15が照明器具13を点灯制御する。
【００２７】
このように、第１の実施形態では、照度センサ27が、照明空間12の輝度分布を撮影部28によって取得するとともに、この取得した輝度分布から照明器具13を除き、この照明器具13を除いた領域の輝度値が輝度分布の取得位置の鉛直面に作る照度を演算部29によって求めることで、間接照度を実測する。このため、人Ｐの目の位置での間接照度(間接眼前照度)をより正確に取得できるので、人Ｐが存在している(在席している)照明エリア21の間接照度(間接眼前照度)が所定値を下回らないように照明器具13をより確実に点灯制御できる。
【００２８】
また、撮影部28を、在席している人Ｐの視線方向と同方向に沿う方向に向けて設置するので、人Ｐの視野範囲に近い範囲の輝度分布をより確実に得ることができる。
【００２９】
なお、上記第１の実施形態において、照度センサ27に代えて、例えば、図４に示す第２の実施形態のように、予め算出されたデータからの参照により人Ｐの目の位置での間接照度(間接眼前照度)を検出する照度検出手段としての照度センサ31を用いても同様の作用効果を奏することができる。この場合、照度センサ31は、例えば照明制御部15に一体的に組み込まれており、予め設定された照明空間12の大きさ、この照明空間12の内装面の反射率、照明器具13の配光データ、照明器具13の台数、および、照明制御部15により点灯する照明器具13の位置等に基づいて予め算出されたデータ(データテーブル)を記憶しておき、この記憶したデータから、センサ機器14により人Ｐの存在が検出された位置に最も近い位置のデータを参照することで間接照度(間接眼前照度)を検出する。このように構成することで、撮像部、および、演算部等の複雑な構成および計算が不要となり、人Ｐの目の位置での間接照度(間接眼前照度)を検出する照度センサ31の構成をより簡略化できるとともに処理を速めることができる。なお、照度センサ31は、センサ機器14に組み込んでもよいし、照度制御部15およびセンサ機器14と別個に設けてもよい。
【００３０】
また、上記第１の実施形態において、照度センサ27に代えて、例えば、図５に示す第３の実施形態のように、人Ｐの目の位置での間接照度(間接眼前照度)を計算(演算)により求める照度検出手段としての照度センサ32を用いても同様の作用効果を奏することができる。この場合、照度センサ32は、例えば照明制御部15に一体的に組み込まれており、予め設定された照明空間12の大きさ、この照明空間12の内装面の反射率、照明器具13の配光データ、照明器具13の台数、および、照明制御部15により点灯する照明器具13の位置等を予め記憶しておき、これら記憶したデータに基づいて、センサ機器14により人Ｐの存在が検出された位置に対して、その検出の都度計算することで間接照度(間接眼前照度)を検出する。このように構成することで、撮像部等の複雑な構成が不要となり、人Ｐの目の位置での間接照度(間接眼前照度)を検出する照度センサ32の構成をより簡略化できる。なお、照度センサ32は、センサ機器14に組み込んでもよいし、照度制御部15およびセンサ機器14と別個に設けてもよい。
【００３１】
以上説明した少なくとも一つの実施形態によれば、人Ｐの存否に応じて、人の存在を検出した位置での間接照度(間接眼前照度)が所定値を下回らないように照明器具13を点灯制御することで、照明器具13を一括に点灯あるいは消灯する場合よりも省エネルギー化を図りつつ、照明空間12の明るさ感を確保できる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
11    照明制御システム
12    照明空間
13    照明器具
14    存否検出手段としてのセンサ機器
15    制御手段としての照明制御部
27，31，32    照度検出手段としての照度センサ
【図１】
2014035815.tif 000003
【図２】
2014035815.tif 000004
【図３】
2014035815.tif 000005
【図４】
2014035815.tif 000006
【図５】
2014035815.tif 000007